(57)【要約】      （修正有）【課題】周囲の作業スペースが狭くて済むとともに函体の隅部（隣り合う側板の接触部）から冷気が漏れることがない葬儀用棺桶冷却装置を提供する。【解決手段】上端開口を有する函体１０内に棺桶載置板と冷却手段と昇降手段とを備え、棺桶載置板５０を略水平状態に配置するとともに函体内の底面と棺桶載置板との間に昇降手段４０を設置し、冷却手段として冷却パネル１２を使用し、この冷却パネルによって函体を形成した。【選択図】図１
0003190725.tif 000002
【実用新案登録請求の範囲】
【請求項１】
上端開口を有する函体内に棺桶載置板と冷却手段と昇降手段とを備え、前記棺桶載置板を略水平状態に配置するとともに前記函体内の底面と前記棺桶載置板との間に前記昇降手段を設置し、前記冷却手段として冷却パネルを使用し、この冷却パネルによって前記函体を形成したことを特徴とする葬儀用棺桶冷却装置。
【請求項２】
前記棺桶載置板に、両端縁に把持布を設けた持ち上げ板を載置したことを特徴とする請求項１の葬儀用棺桶冷却装置。
【考案の詳細な説明】
【技術分野】
【０００１】
この考案は葬儀用棺桶冷却装置に関し、葬儀、火葬の儀等の際に棺桶内の遺体を長時間保冷し、遺体の腐敗や雑菌の繁殖を防止するために使用される。
【背景技術】
【０００２】
従来におけるこの種の棺桶冷却装置は、基台に冷却装置を内蔵し、この基台の上に棺桶収納函体を形成したものである。そして、前記棺桶収納函体の側面が四方を囲む４枚の側板を各々ヒンジによって回動可能に前記基台に設置され、側板を１８０°回転させることによって棺桶収納函体を開放し、棺桶を載置した後、側板を逆方向に回転することによって棺桶収納函体に収納し、冷却装置からこの棺桶収納函体に冷気を供給することによって棺桶を冷却していた。
【０００３】
【特許文献１】実用新案登録第３１１５１０８号公報
【考案の開示】
【考案が解決しようとする課題】
【０００４】
しかしながら、かかる従来の棺桶冷却装置にあっては、前記棺桶を前記棺桶収納函体に出し入れ作業をする際に、四方を囲む４枚の側板を外側に向かって１８０°回転しなければならないため、当該冷却装置の周囲に作業スペースを必要とするとともに前記棺桶収納函体の隅部（隣り合う側板の接触部）から冷気が漏れやすいという不都合を有した。
【０００５】
この考案の課題はこの不都合を解消することである。
【課題を解決するための手段】
【０００６】
前記不都合を解消するために、この考案に係る葬儀用棺桶冷却装置においては上端開口を有する函体内に棺桶載置板と冷却手段と昇降手段とを備え、前記棺桶載置板を略水平状態に配置するとともに前記函体内の底面と前記棺桶載置板との間に前記昇降手段を設置し、前記冷却手段として冷却パネルを使用し、この冷却パネルによって前記函体を形成したものである。
【０００７】
この場合、前記棺桶載置板に、両端縁に把持布を設けた持ち上げ板を載置することもできる。
【考案の効果】
【０００８】
この考案に係る葬儀用棺桶冷却装置は上記のように構成されているため、即ち、上端開口を有する函体内に棺桶載置板と冷却手段と昇降手段とを備え、前記棺桶載置板を略水平状態に配置するとともに前記函体内の底面と前記棺桶載置板との間に前記昇降手段を設置し、前記冷却手段として冷却パネルを使用し、この冷却パネルによって前記函体を形成したため、前記冷却パネルにより前記函体内を冷却後、前記昇降手段を作動させることによって前記棺桶載置板を前記函体の上端開口面まで上昇させ、この状態で棺桶を前記棺桶載置板に載置し、この状態で、前記昇降手段を作動させることによって棺桶を函体内に収納することができる。
【０００９】
よって、この葬儀用棺桶冷却装置を使用すれば函体内に冷却手段を内蔵した状態で棺桶を収納できるにも関わらず、従来のように、棺桶を函体に出し入れする際に、四方を囲む４枚の側板を外側に向かって１８０°回転する必要はないため、当該冷却装置の周囲の作業スペースは従来よりも狭くて済むとともに函体の隅部（隣り合う側板の接触部）から冷気が漏れることはないものである。
【００１０】
この場合、前記棺桶載置板に、両端縁に把持布を設けた持ち上げ板を載置すれば、昇降手段が故障しても持ち上げ板に棺桶を載せた状態で両端の把持布を掴んで引き上げることにより、棺桶を函体から取り出すことができる。
【考案を実施するための最良の形態】
【００１１】
この考案に係る葬儀用棺桶冷却装置は実施するにあたって下記の構成に最も主要な特徴を有する。
【００１２】
「函体」は冷却パネルによって形成されている。この冷却パネルはコントロール部によって、函体内の空気温度を７°Ｃ〜−１５°Ｃの間でコントロールし維持する性能を有する。
【００１３】
下記の実施例では、「昇降手段」はパンタアーム昇降装置を使用したがこれに限定されるものではなく、全ての昇降手段の使用を妨げるものではない。
【実施例】
【００１４】
以下、この考案の実施例を図面に基づいて説明する。図１はこの考案に係る葬儀用棺桶冷却装置の正面断面図、図２は同右側面図、図３は図１におけるIII―III線断面図である。
【００１５】
図１〜図３において、Ａは葬儀用棺桶冷却装置、１０はその函体である。この函体１０は上端開口１１を有し、冷却パネル１２によって形成され、前記函体１０内は冷却される。なお、前記冷却パネル１２はこの考案の「冷却手段」に相当する。１３は底隅段部であり前記函体１０の底の隅部に形成されている。この底隅段部１３は、その水平面で後記棺桶Ｋを支えることもできる。１４は縁板であり前記函体の開口端を覆っている。この縁板１４はアルミエンボス加工板製である。１５は外壁板であり前記冷却パネル１２との間に隙間を介して設置されている。この外壁板の表面には生地張りがされている。
【００１６】
１６，１６…はキャスターであり、前記函体１０の底面に設置されている。前記函体１０の移動を容易にするためである。
【００１７】
２１は支持台であり、前記函体の底の隅部に設置されている。この支持台２１は、前記函体１０に棺桶Ｋを収納した際に棺桶Ｋを支えることもできる。（図１参照のこと）。なお、支持台２１は棺桶Ｋを支持する際に棺桶Ｋの上端部が前記函体１０から僅かに露出する高さに設置することもできる（図１参照のこと）。
【００１８】
３０はコントローラであり、前記函体１０内の底隅段部１３の外側に設置されている。このコントローラ３０によって前記冷却パネル１２は冷却され、前記函体１０内が冷却される。なお、前記函体１０内はコントローラ３０によって空気温度が7°Ｃ〜−１５°Ｃを維持するように制御されている。
【００１９】
次に、４０はパンタアーム式昇降装置（この考案の「昇降手段」に相当する）であり、据付台４１，４１を介して前記函体１０内の底面に設置されている。このパンタアーム式昇降装置４０は前記函体１０内の中心部に位置している。
【００２０】
５０は棺桶載置板であり、前記パンタアーム式昇降装置４０の上端部に設置されている。この棺桶載置板５０は前記パンタアーム式昇降装置４０の作動によって昇降する。昇降する際の最下端の位置は、前記底隅断部１３および前記支持台の水平面と略同じ高さであり（図１参照のこと）、最上端の位置は前記函体１０の開口面よりも僅かに低い位置である（図１参照のこと）。
【００２１】
５１は持上板であり、前記棺桶載置板５０に載せられている。この持上板５１を介して、前記棺桶載置板５０に棺桶Ｋが載置される。５２は把持布であり、前記持上板５１の下面に貼り付けられている。この把持布５２の両端（長手方向の）は外側に延びている。その長さは約７０ｃｍであり、前記棺桶Ｋを前記函体１０内に収容したとき、先端部が前記函体１０の上端開口１１から外側にある程度垂れ下がる程度である。
【００２２】
このように構成される葬儀用棺桶冷却装置Ａを使用する場合には、まず、冷却装置３０を作動させ、前記函体１０内を所定の温度に冷却しておく。その後、前記パンタアーム式昇降装置４０を作動させて、前記棺桶載置板５０を函体１０の上端開口１１近傍まで上昇させる（図１参照のこと）。そして、この棺桶載置板５０に前記持上板５１を介して棺桶Ｋを載置し、再度、前記パンタアーム式昇降装置４０を作動させて、前記棺桶載置板５０を下降させることによって、棺桶Ｋを葬儀用棺桶冷却装置Ａに収納できる。なお、この収納したとき、前記持上板５１の把持布５２は前記函体１０の上端開口１１から外側にある程度垂れ下がっている（図１，図３参照のこと）。棺桶Ｋを前記函体１０から取り出すときは、前記パンタアーム式昇降装置４０を作動させて前記棺桶載置板５０を函体の上端開口１１まで上昇させればよい。もし、前記パンタアーム式昇降装置４０が故障して上昇させることができないときは、前記持上板５１の両側の把持布５２を掴み、棺桶Ｋを載せた状態で前記持上板５１を上昇させ、棺桶Ｋを取り出すこともできる。なお、前記棺桶Ｋを前記函体内に収納した後に、前記冷却装置を作動させることもできる。
【産業上の利用可能性】
【００２３】
この考案に係る葬儀用棺桶冷却装置は、函体内に冷却手段を内蔵した状態で棺桶を収納できるにも関わらず、従来のように、棺桶を函体に出し入れする際に、四方を囲む４枚の側板を外側に向かって１８０°回転する必要はないため、当該冷却装置の周囲の作業スペースは従来よりも狭くて済むとともに函体の隅部（隣り合う側板の接触部）から冷気が漏れることはない。よって、産業上の利用可能性は高いものである。
【図面の簡単な説明】
【００２４】
【図１】図１はこの考案に係る葬儀用棺桶冷却装置の正面断面図である。
【図２】図２は同右側面図である。
【図３】図３は図１におけるIII―III線断面図である。
【符号の説明】
【００２５】
Ａ  …  葬儀用棺桶冷却装置
Ｋ  …  棺桶
１０  …  函体
１１  …  上端開口
１２  …  冷却パネル
１３  …  底隅段部
１４  …  縁板
１５  …  外壁板
１６  …  キャスター
２１  …  支持台
３０  …  コントローラ
４０  …  パンタアーム式昇降装置
４１  …  据付台
５０  …  棺桶載置板
５１  …  持上板
５２  …  把持布
【図１】
0003190725.tif 000003
【図２】
0003190725.tif 000004
【図３】
0003190725.tif 000005